(57)【要約】      （修正有）【課題】指針本体に指針キャップを保持させる作業を簡素化可能な指針を提供する。【解決手段】表示装置で用いられる指針は、指針本体と、指針本体に保持される指針キャップ１５０とを備える。指針本体は、柱状のピン部１４４に加えて、突出部１４７、および区画部を有している。突出部１４７は、ピン部１４４の外側面から突出している。区画部は、ピン部１４４の軸方向に沿ったスリットをピン部１４４に区画している。指針キャップ１５０は、ピン部１４４を挿通された穴部１５６に加えて、規制部１５７を設けられている。規制部１５７は、突出部１４７よりもピン部１４４の根元方向に位置して突出部１４７の根元方向への移動を規制している。【選択図】図８
2019124627.tif 000002
【特許請求の範囲】
【請求項１】
表示装置（１）で用いられる指針（１００）であって、
指針本体（１１０）と、
前記指針本体に保持される指針キャップ（１５０）と、を備え、
前記指針本体および前記指針キャップのいずれか一方である第一部材（１１０）は、
柱状のピン部（１４４）と、
前記ピン部の外側面から突出する突出部（１４７）と、
前記ピン部の軸方向に沿ったスリット（１４９）を前記ピン部に区画する区画部（１４８）と、を有し、
前記指針本体および前記指針キャップの他方である第二部材（１５０）は、
前記ピン部を挿通された穴部（１５６）と、
前記突出部よりも前記ピン部の根元方向に位置して前記突出部の前記根元方向への移動を規制する規制部（１５７）と、を設けられた指針。
【請求項２】
前記第二部材は、前記スリットに嵌合するストッパ（１５８）を有する請求項１に記載の指針。
【請求項３】
前記ストッパの前記根元方向の端部（１５８ａ）は、前記規制部よりも前記ピン部の先端方向に位置している請求項２に記載の指針。
【請求項４】
前記区画部は、前記ピン部の先端（１４４ａ）から前記スリットを区画している請求項１〜３のいずれか１項に記載の指針。
【請求項５】
前記区画部は、前記突出部よりも前記根元方向まで前記スリットを区画している請求項４に記載の指針。
【請求項６】
請求項１〜５のいずれか１項に記載の指針と、
前記指針により指示される表示板（４０）と、を備える表示装置。
【発明の詳細な説明】
【技術分野】
【０００１】
本開示は、指針、およびその指針を用いた表示装置に関する。
【背景技術】
【０００２】
特許文献１には、表示装置用の指針が開示されている。指針は、指針本体、および指針キャップを備えている。指針本体には、貫通孔が形成されている。指針キャップには、円柱状のボスが形成されている。ボスは、貫通孔に挿通されている。ボスの先端部には、外径を大きくした拡径部がかしめ加工により形成されている。拡径部と貫通孔の内周縁との接触により、指針本体に指針キャップが固定されている。
【先行技術文献】
【特許文献】
【０００３】
【特許文献１】特開２００７−１２１２２９号公報
【発明の概要】
【発明が解決しようとする課題】
【０００４】
このように、特許文献１の指針では、指針本体に指針キャップを保持させるために、一方に形成された柱状のピン部を他方に形成された穴部に挿通させる挿通工程の後に、かしめ加工などの後工程がさらに必要とされていた。このような後工程が、指針本体に指針キャップを保持させる作業の簡素化を妨げていた。
【０００５】
本開示は、指針本体に指針キャップを保持させる作業を簡素化可能な指針、およびその指針を用いた表示装置の提供を目的とする。
【課題を解決するための手段】
【０００６】
上記目的は独立請求項に記載の特徴の組み合わせにより達成され、また、下位請求項は、本開示の更なる有利な具体例を規定する。特許請求の範囲に記載した括弧内の符号は、一つの態様として後述する実施形態に記載の具体的手段との対応関係を示すものであって、本開示の技術的範囲を限定するものではない。
【０００７】
上記目的を達成するための本開示は、表示装置（１）で用いられる指針（１００）であって、指針本体（１１０）と、指針本体に保持される指針キャップ（１５０）と、を備え、指針本体および指針キャップのいずれか一方である第一部材（１１０）は、柱状のピン部（１４４）と、ピン部の外側面から突出する突出部（１４７）と、ピン部の軸方向に沿ったスリット（１４９）をピン部に区画する区画部（１４８）と、を有し、指針本体および指針キャップの他方である第二部材（１５０）は、ピン部を挿通された穴部（１５６）と、突出部よりもピン部の根元方向に位置して突出部の根元方向への移動を規制する規制部（１５７）と、を設けられている。
【０００８】
以上の構成によれば、柱状のピン部には、軸方向に沿ったスリットが区画部によって区画されている。スリットにより、ピン部の外側面から突出する突出部は、内方向に変位可能となる。故に、ピン部を穴部に挿通させる挿通工程において、突出部は内方向への変位により規制部を通過して規制部よりも先端方向に移動できる。規制部よりも先端方向に移動した突出部は、ピン部の復元力により外方向に戻る。外方向に戻った突出部は、根元方向に位置する規制部により根元方向への移動を規制された状態となる。以上によれば、挿通工程の後では、ピン部の根元方向への移動が規制されうる。この結果、保持作業において、後工程を行うことなく指針本体に指針キャップを保持させうる。従って、指針本体に指針キャップを保持させる作業が簡素化可能となる。
【図面の簡単な説明】
【０００９】
【図１】表示装置の正面図である。
【図２】図１のＩＩ−ＩＩ線断面図である。
【図３】導光体の斜視図である。
【図４】遮光板の斜視図である。
【図５】指針の背面図である。
【図６】指針キャップの斜視図である。
【図７】指針キャップの背面図である。
【図８】図１のＶＩＩＩ−ＶＩＩＩ線断面図である。
【図９】ピン部の斜視図である。
【図１０】金型内に成型された指針キャップを示す図である。
【図１１】指針キャップのキャビティからの離型を示す図である。
【図１２】指針キャップのコアからの離型を示す図である。
【図１３】突出部の内方向への移動を示す図である。
【図１４】突出部の外方向への移動を示す図である。
【図１５】挿通工程後の状態を示す図である。
【図１６】変形例１の指針を示す図である。
【図１７】変形例１の導光体を示す図である。
【発明を実施するための形態】
【００１０】
本開示の実施形態による表示装置１は、図１に示すように車両のインストルメントパネルに設置されてドライバに各種の表示を行うコンビネーションメータである。表示装置１には、指針表示部１０が形成されている。指針表示部１０は、例えば車両の速度やエンジン回転数、燃料残量などの車両情報の表示に用いられる。指針表示部１０は、図１および図２に示す表示板４０、および指針１００により形成されている。以下の説明では、表示板４０に垂直な方向であってドライバが位置することとなる方向を前面方向とし、前面方向と反対方向を背面方向とする。表示装置１は、ケース２０、および基板３０を上述した表示板４０、および指針１００に加えて備えている。
【００１１】
ケース２０は、ＡＢＳ樹脂などの遮光性の樹脂材料により形成されている。ケース２０は、表示板４０を背面方向から支持している。ケース２０は、内側に基板３０を収容している。ケース２０には、指針１００を配置するためのケース開口２１が形成されている。
【００１２】
基板３０は、樹脂などの絶縁基材に、銅などによる回路パターンを設けて形成されている板状の部材である。基板３０の両面は、それぞれ前面方向および背面方向を向いている。基板３０には、駆動装置３１、光源３２、および制御部３３が設けられている。
【００１３】
駆動装置３１は、例えばステッパモータである。駆動装置３１は、基板３０の回路パターンを介して制御部３３と電気的に接続されている。駆動装置３１は、指針１００と機械的に接続され、指針１００を回転駆動する。
【００１４】
光源３２は、例えば発光ダイオードである。光源３２は、基板３０の両面のうち前面方向を向く面に設けられている。光源３２は、ケース開口２１の背面方向に配置されている。光源３２は、基板３０の回路パターンを介して制御部３３と電気的に接続されている。光源３２は、前面方向に向けて光を放射する。光源３２から放射される光は、指針１００を発光させる。
【００１５】
制御部３３は、例えばマイクロコントローラなどにより構成されている。制御部３３は、車両で用いられているエンジンＥＣＵやボデーＥＣＵなどから指針表示部１０に表示させる車両情報を取得する。制御部３３は、車両情報に従って、駆動装置３１の回転制御および光源３２の輝度制御などを行う。
【００１６】
表示板４０は、ポリカーボネート樹脂やアクリル樹脂などの透光性の樹脂材料により板状に形成されている。表示板４０には、指針１００で指示される数字や目盛などの指標が印刷されている。表示板４０のうち、ケース開口２１に対応する位置には、指針１００を配置するための表示板開口４１が形成されている。
【００１７】
指針１００は、前面方向に沿った回転軸線Ａｒ周りに回転することにより、表示板４０を指示する部材である。指針１００は、指針本体１１０、および指針キャップ１５０を備えている。
【００１８】
指針本体１１０は、駆動装置３１に接続されて回転駆動されることにより、表示板４０における指針１００の指示する位置を変化させる。指針本体１１０は、光源３２の放射した光を導光して前面方向に射出する。指針本体１１０は、導光体１２０、拡散体１３０、および遮光板１４０を含んでいる。
【００１９】
導光体１２０は、透光性の樹脂材料により形成されている。導光体１２０は、図２および図３に示すように、軸部１２１、入射部１２２、回転中心部１２３、指示部１２５、および遮光板保持部１２６を有している。
【００２０】
軸部１２１は、円柱状に形成されている。軸部１２１の中心軸線は、回転軸線Ａｒと実質的に一致している。軸部１２１は、駆動装置３１と接続されている。軸部１２１の接続により、駆動装置３１が指針１００を回転駆動可能となる。
【００２１】
入射部１２２は、前面方向および背面方向に両面を向けた円板状に形成されている。入射部１２２は、軸部１２１の前面方向の一端に接続されている。入射部１２２の外周面は、軸部１２１の外周面よりも外周方向に突出している。入射部１２２の背面方向を向いた面には、光源３２から放射された光が入射する。
【００２２】
回転中心部１２３は、矩形板状に形成されている。回転中心部１２３は、ケース開口２１の前面方向に位置している。回転中心部１２３は、短手方向を回転軸線Ａｒに沿わせ、長手方向および厚さ方向を回転軸線Ａｒと直交する方向に沿わせる姿勢である。回転中心部１２３の長手方向の両端は、それぞれ入射部１２２よりも外周方向に突出している。回転中心部１２３のうち入射部１２２の前面方向の位置には、嵌合孔１２４が形成されている。嵌合孔１２４は、回転中心部１２３を厚さ方向に貫通する貫通孔である。
【００２３】
指示部１２５は、断面矩形の柱状に形成されている。指示部１２５は、回転中心部１２３の長手方向の両端のうち一端から、回転軸線Ａｒと直交する方向に沿って延伸している。前面方向に沿った指示部１２５の寸法、および指針１００の幅方向に沿った指示部１２５の寸法は、回転軸線Ａｒから離れるに従って小さくなっている。
【００２４】
遮光板保持部１２６は、矩形板状に形成されている。遮光板保持部１２６は、回転軸線Ａｒと直交する姿勢である。遮光板保持部１２６は、回転中心部１２３の４か所に設けられている。具体的には、遮光板保持部１２６は、回転中心部１２３の両面のうち、長手方向の両端にそれぞれ設けられている。各遮光板保持部１２６は、指針１００の幅方向に沿って回転中心部１２３から突出している。各遮光板保持部１２６には、厚さ方向に貫通する配置孔１２７がそれぞれ形成されている。各配置孔１２７は、回転軸線Ａｒまわりにおいて周方向の間隔を実質的に均等とする配置で形成されている。
【００２５】
拡散体１３０は、白色のポリプロピレン樹脂などの光を拡散しつつ透過させる樹脂材料により形成されている。拡散体１３０は、嵌合孔１２４に内嵌されることにより導光体１２０に取り付けられている。拡散体１３０は、入射部１２２から導光体１２０に入射した光を指示部１２５に向けて拡散する。
【００２６】
遮光板１４０は、図２、図４、および図５に示すように遮光性の樹脂材料により板状に形成されている。遮光板１４０は、回転中心部１２３および指示部１２５の背面方向に配置されている。遮光板１４０は、回転中心部１２３および指示部１２５から背面方向に射出されて表示板４０に向かう光を遮蔽する。遮光板１４０は、中央遮光部１４１、指針遮光部１４３、およびピン部１４４を有している。
【００２７】
中央遮光部１４１は、円板状に形成されている。中央遮光部１４１の中心軸線は、回転軸線Ａｒと実質的に一致している。中央遮光部１４１は、回転中心部１２３、および遮光板保持部１２６（図３参照）の背面方向を覆っている。中央遮光部１４１には、遮光板開口１４２が形成されている。遮光板開口１４２は、軸部１２１を挿通されている。遮光板開口１４２は、入射部１２２を背面方向に露出させている。
【００２８】
指針遮光部１４３は、帯板状に形成されている。指針遮光部１４３は、中央遮光部１４１の外周面から、回転軸線Ａｒから離間する方向に突出している。指針遮光部１４３は、指示部１２５の背面方向を覆っている。
【００２９】
ピン部１４４は、中央遮光部１４１から前面方向に延伸する略円柱状に形成されている。ピン部１４４は、回転軸線Ａｒまわりにおいて、周方向の間隔を実質的に均等とする４か所に形成されている。これ以降、各ピン部１４４の軸方向に沿った方向であって、各ピン部１４４の先端１４４ａから根元端１４４ｂに向かう方向を根元方向とし、根元端１４４ｂから先端１４４ａに向かう方向を先端方向として説明する。各ピン部１４４は、各配置孔１２７に挿通されている。各ピン部１４４を各配置孔１２７（図３参照）に挿通することにより、遮光板１４０は導光体１２０に取り付けられている。
【００３０】
指針キャップ１５０は、図２、図６、および図７に示すように、遮光性の樹脂材料により一端を開口した有底筒状に形成されている。指針キャップ１５０は、開口を背面方向に向ける姿勢で指針本体１１０に保持されている。指針キャップ１５０は、指針本体１１０の前面方向および外周方向を覆っている。指針キャップ１５０は、指針本体１１０を装飾している。指針キャップ１５０は、底板部１５１、外周壁部１５３、外周凸部１５４、およびピン受け部１５５を有している。
【００３１】
底板部１５１は、両面をそれぞれ前面方向および背面方向に向ける板状に形成されている。底板部１５１を背面方向に投影した形状は、遮光板１４０を背面方向に投影した形状と実質的に一致している。底板部１５１は、導光体１２０の前面方向に配置されている。底板部１５１は、導光体１２０から前面方向に射出される光を部分的に遮蔽する。底板部１５１には、キャップ開口１５２が形成されている。
【００３２】
キャップ開口１５２は、底板部１５１の回転中心部１２３を覆う部分から、指示部１２５を覆う部分に延伸する帯状に形成された開口である。キャップ開口１５２は、回転中心部１２３および指示部１２５のうち、前面方向を向く面を露出させている。回転中心部１２３および指示部１２５からキャップ開口１５２を通じて前面方向に射出される光により、指針１００は部分的に発光している状態としてドライバに視認される。
【００３３】
外周壁部１５３は、底板部１５１の外縁から背面方向に延伸して指針本体１１０の外周を覆う壁部である。外周壁部１５３は、遮光板１４０よりも背面方向まで延伸している。外周壁部１５３は、背面方向に向かうに従って外周方向に傾斜する姿勢である。外周壁部１５３は、例えば回転軸線Ａｒに対して５〜８度傾斜している。外周壁部１５３は、導光体１２０から外周方向に射出される光を遮蔽する。外周壁部１５３は、円筒壁部１５３ａを含んでいる。
【００３４】
円筒壁部１５３ａは、外周壁部１５３のうち、部分円筒状に形成されて中央遮光部１４１の外周面を覆う部分である。円筒壁部１５３ａは、中央遮光部１４１の外周面のうち、指針遮光部１４３の突出する部分を除いた全体を覆っている。
【００３５】
外周凸部１５４は、円筒壁部１５３ａの内周面のうち、遮光板１４０よりも背面方向の位置から内周方向に突出している突出部である。外周凸部１５４は、中央遮光部１４１の背面方向を向く面と接触して中央遮光部１４１の背面方向への移動を規制している。外周凸部１５４は、周方向に沿って延伸し、円筒壁部１５３ａの周方向について実質的に全域にわたって形成されている。外周凸部１５４は、中央遮光部１４１の背面方向を向く面の外周縁のうち、ほぼ全周に接触している。
【００３６】
ピン受け部１５５は、内側に穴部１５６を形成された円筒状の突出部である。ピン受け部１５５は、底板部１５１から背面方向に延伸している。ピン受け部１５５は、底板部１５１の４か所に設けられている。具体的には、各ピン受け部１５５は、回転軸線Ａｒまわりにおいて周方向の間隔を実質的に均等とする４か所に穴部１５６を配置するように設けられている。各ピン受け部１５５の外周面は、背面方向に向かうにつれて各ピン受け部１５５の内周方向に傾斜する姿勢である。各ピン受け部１５５の内周面は、背面方向に向かうにつれて各ピン受け部１５５の外周方向に傾斜する姿勢である。穴部１５６には、ピン部１４４が挿通されている。
【００３７】
本実施形態の指針１００では、指針本体１１０に指針キャップ１５０を保持させるために、遮光板１４０には、図８に示すように凹部１４６、突出部１４７、および区画部１４８が形成されている。また指針キャップ１５０には、規制部１５７、およびストッパ１５８が形成されている。
【００３８】
凹部１４６は、図８および図９に示すように各ピン部１４４の外側面に形成されている。凹部１４６は、各ピン部１４４の外側面において周方向に延伸する溝状に形成されている。
【００３９】
突出部１４７は、各ピン部１４４の外側面のうち、凹部１４６よりも先端方向の部分である。各突出部１４７は、凹部１４６に対して相対的に各ピン部１４４の外側面から突出した状態となっている。
【００４０】
区画部１４８は、間にスリット１４９を区画するように離間して対向する二つの壁面である。区画部１４８は、各ピン部１４４の軸方向に沿ったスリット１４９を各ピン部１４４にそれぞれ区画している。各区画部１４８は、各ピン部１４４の先端から、各突出部１４７よりも根元方向まで各スリット１４９を区画している。具体的には、各区画部１４８は各ピン部１４４の根元端１４４ｂよりも背面方向まで各スリット１４９を区画している。
【００４１】
各スリット１４９は、ピン部１４４の横断面において、ピン部１４４を貫通している。スリット１４９により、各ピン部１４４は、スリット１４９の区画されている位置において、それぞれ断面半円状の二つの柱状に分割されている。各スリット１４９は、各ピン部１４４を軸方向全体にわたって二つの柱状に分割している。各ピン部１４４のうちスリット１４９により分割されている部分は、それぞれ変位方向に沿って弾性変形可能となっている。変位方向は、ピン部１４４の横断面に沿った方向であって、スリット１４９の貫通する貫通方向と直交する方向である。
【００４２】
規制部１５７は、図８に示すように各ピン受け部１５５の内周面から突出している凸部である。規制部１５７は、内周面のうち凹部１４６と対向する位置から突出している。各規制部１５７は、各ピン受け部１５５の周方向に沿って環状に設けられている。各規制部１５７は、突出部１４７の背面方向に位置して突出部１４７の根元方向への移動を規制している。具体的には、各規制部１５７は凹部１４６と嵌合している。
【００４３】
ストッパ１５８は、ピン受け部１５５の内側に向けて突出し、スリット１４９に嵌合している凸部である。ストッパ１５８は、底板部１５１から背面方向に向けて突出している。ストッパ１５８は、背面方向に向かうに従って外径の小さくなる略円錐状である。ストッパ１５８は、規制部１５７よりも先端方向において区画部１４８と接触している。ストッパ１５８根元方向の端部１５８ａは、規制部１５７よりも先端方向に位置している。
【００４４】
次に、指針キャップ１５０の製造方法の例を図１０〜１２を用いて説明する。指針キャップ１５０は、成型作業、および離型作業により製造される。成型作業では、図１０に示すように、可動側のコア５０および固定側のキャビティ６０により構成された金型に樹脂を充填することにより、金型内に指針キャップ１５０を成型する。金型内において、円筒壁部１５３ａの内周面は、コア５０に接触している。金型内において、円筒壁部１５３ａの外周面は、キャビティ６０に接触している。
【００４５】
離型作業では、金型内に成型された指針キャップ１５０を、コア５０およびキャビティ６０から離型させる。図１１に示すように、金型を開いてコア５０を指針キャップ１５０の軸方向に沿ってキャビティ６０から離間する方向に移動させることにより、指針キャップ１５０はコア５０に伴って移動しキャビティ６０から離型する。この結果、指針キャップ１５０は、図１２に示すように円筒壁部１５３ａおよび外周凸部１５４を外周方向に変位させてコア５０から離型可能となる。
【００４６】
次に、指針１００の組み立て方法を図１３〜１５を用いて説明する。指針１００は、本体準備作業、および保持作業により組み立てられる。本体準備作業では、拡散体１３０、および遮光板１４０を導光体１２０に取り付ける。本体準備作業により、ピン部１４４を有する指針本体１１０が準備される。
【００４７】
保持作業では、本体準備作業で準備された指針本体１１０に、指針キャップ１５０を保持させる。本実施形態の保持作業では、挿通工程により指針キャップ１５０を指針本体１１０に保持させる。挿通工程では、ピン受け部１５５に形成された穴部１５６にピン部１４４を挿通させる。具体的には、突出部１４７を、規制部１５７よりも先端方向へ移動させるようにピン部１４４を挿通させる。突出部１４７は、図１３に示すように規制部１５７に接触した場合、ピン部１４４の弾性変形により、内方向へ変位可能である。内方向は、変位方向に沿った方向であってスリット１４９を狭める方向である。内方向への変位により、突出部１４７は、図１４に示すように規制部１５７を通過して規制部１５７よりも先端方向へ移動できる。
【００４８】
規制部１５７よりも先端方向へ移動した突出部１４７は、ピン部１４４の復元力、およびストッパ１５８のスリット１４９への嵌合により外方向に戻る。外方向は、変位方向に沿った方向であってスリット１４９を広げる方向である。外方向に戻った突出部１４７は、図１５に示すように、根元方向に位置する規制部１５７により根元方向への移動を規制された状態となる。
【００４９】
［実施形態のまとめ］
以上、説明した実施形態によれば、柱状のピン部１４４には、軸方向に沿ったスリット１４９が区画部１４８によって区画されている。スリット１４９により、ピン部１４４の外側面から突出する突出部１４７は、内方向に変位可能となる。故に、ピン部１４４を穴部１５６に挿通させる挿通工程において、突出部１４７は内方向への変位により規制部１５７を通過して規制部１５７よりも先端方向に移動できる。規制部１５７よりも先端方向に移動した突出部１４７は、ピン部１４４の復元力により外方向に戻る。外方向に戻った突出部１４７は、根元方向に位置する規制部１５７により根元方向への移動を規制された状態となる。以上によれば、挿通工程の後では、ピン部１４４の根元方向への移動が規制されうる。この結果、保持作業において、後工程を行うことなく指針本体１１０に指針キャップ１５０を保持させうる。従って、指針本体１１０に指針キャップ１５０を保持させる保持作業が簡素化可能となる。
【００５０】
また本実施形態では、スリット１４９に嵌合したストッパ１５８により、外方向に戻った突出部１４７は、内方向への移動を規制される。この結果、突出部１４７は、規制部１５７を通過する根元方向への移動を規制される。従って指針キャップ１５０は、より指針本体１１０から外れにくくなる。
【００５１】
さらに本実施形態では、ストッパ１５８の根元方向の端部１５８ａは規制部１５７よりも先端方向に位置している。故にストッパ１５８は、突出部１４７を規制部１５７よりも先端方向に移動させる前においては、突出部１４７の内方向への移動を妨げにくい。従って突出部１４７は、挿通工程において、規制部１５７をより通過しやすくなる。
【００５２】
また、スリット１４９は、ピン部１４４の先端１４４ａから区画されている。故にピン部１４４のスリット１４９により分割されている部分は、先端１４４ａを自由端とする片持ち梁状となる。この結果、突出部１４７は、より内方向に変位しやすくなる。従って、突出部１４７は、挿通工程において規制部１５７をより通過しやすくなる。
【００５３】
加えて、スリット１４９は、突出部１４７よりも根元方向まで区画されている。この結果、突出部１４７は、全体を片持ち梁状に支持された状態となることにより、より内方向に変位しやすくなる。従って突出部１４７は、挿通工程において規制部１５７をより通過しやすくなる。
【００５４】
また本実施形態では、指針キャップ１５０は、規制部１５７による突出部１４７の移動の規制に加えて、外周凸部１５４により中央遮光部１４１の移動を規制している。従って、指針キャップ１５０は、より指針本体１１０から外れにくくなる。
【００５５】
さらに外周凸部１５４は、円筒壁部１５３ａの内周面から突出している。故にキャップ準備作業において、円筒壁部１５３ａの外周面がキャビティ６０から離型した後で、外周凸部１５４は、円筒壁部１５３ａと共に外周方向に変位しうる。この結果、指針キャップ１５０は、外周凸部１５４を設けても、いわゆる無理抜きでコア５０から離型させやすい。すなわち、指針キャップ１５０は、内周方向に退避可能なスライドコアを設けていないコア５０を用いて成型しても、コア５０から離型させやすい。従って、外周凸部１５４は、指針キャップ１５０の製造を妨げにくい。
【００５６】
なお、本実施形態では、指針本体１１０が「第一部材」に相当し、指針キャップ１５０が「第二部材」に相当する。
【００５７】
＜他の実施形態＞
以上、本開示の実施形態を説明したが、本開示は上述の実施形態に限定されるものではなく、次の変形例も本開示の技術的範囲に含まれ、さらに、下記以外にも要旨を逸脱しない範囲内で種々変更して実施できる。なお、以下の説明において、それまでに使用した符号と同一番号の符号を有する要素は、特に言及する場合を除き、それ以前の実施形態における同一符号の要素と同一である。また、構成の一部のみを説明している場合、構成の他の部分については先に説明した実施形態を適用できる。
【００５８】
上述の実施形態に関する変形例１では、図１６、および図１７に示すように、指針本体のうち導光体１２０にピン部１４４が形成されている。変形例１においても、保持作業が簡素化可能となる。また変形例１における指針キャップ１５０では、四か所に設けられていたピン受け部１５５のうち二つに替えて、背面方向に延伸する柱状の位置決めピンが設けられている。位置決めピンは、導光体１２０および遮光板１４０に形成された貫通孔へ圧入されることにより、指針本体１１０に保持されている。
【００５９】
上述の実施形態に関する変形例２では、穴部１５６を形成されたピン受け部１５５は、指針本体１１０に含まれている遮光板１４０に設けられている。また、ピン部１４４は、指針キャップ１５０に設けられている。変形例２においても、保持作業が簡素化可能となる。変形例２においては、指針本体１１０が「第二部材」に相当し、指針キャップ１５０が「第一部材」に相当する。
【００６０】
上述の実施形態に関する変形例３では、ピン部１４４は、凹部１４６を形成されておらず、外側面から突出する突出部１４７を設けられている。ピン受け部１５５は、内周面に突出部１４７を嵌合させる凹部を形成されている。変形例３における規制部１５７は、ピン受け部１５５の内周面のうち、凹部よりも根元方向の部分である。変形例３においても、突出部１４７は根元方向に位置する規制部１５７により、根元方向への移動を規制されている。
【００６１】
上述の実施形態では、スリット１４９は、ピン部１４４の軸方向全体にわたって区画されていた。しかし、ピン部１４４の軸方向におけるスリット１４９の区画される範囲は、適宜変更可能である。
【００６２】
上述の実施形態では、ピン部１４４、穴部１５６、およびストッパ１５８の横断面形状は、それぞれ円形であった。しかし、ピン部１４４、穴部１５６、およびストッパ１５８の横断面形状は、矩形など円形以外の形状であってもよい。また上述の実施形態では、ストッパ１５８は底板部１５１から突出していた。しかし、ストッパ１５８は、ピン受け部１５５の内周面から突出していてもよい。
【００６３】
上述の実施形態では、ピン部１４４は、横断面においてスリット１４９により二つに分割されていた。しかし、ピン部１４４は、三つ以上に分割されていてもよい。
【００６４】
上述の実施形態では、指針１００を用いる表示装置１は、車両で用いられるコンビネーションメータであった。しかし、指針１００を用いる表示装置１は、船舶などで用いられる計器や、家電などで用いられる指針表示装置であってもよい。
【符号の説明】
【００６５】
１：表示装置、４０：表示板、  １００：指針、  １１０：指針本体（第一部材）、  １４４：ピン部、  １４４ａ：先端、  １４７：突出部、  １４８：区画部、  １４９：スリット、  １５０：指針キャップ（第二部材）、  １５６：穴部、  １５７：規制部、  １５８：ストッパ、  １５８ａ：端部
【図１】
2019124627.tif 000003
【図２】
2019124627.tif 000004
【図３】
2019124627.tif 000005
【図４】
2019124627.tif 000006
【図５】
2019124627.tif 000007
【図６】
2019124627.tif 000008
【図７】
2019124627.tif 000009
【図８】
2019124627.tif 000010
【図９】
2019124627.tif 000011
【図１０】
2019124627.tif 000012
【図１１】
2019124627.tif 000013
【図１２】
2019124627.tif 000014
【図１３】
2019124627.tif 000015
【図１４】
2019124627.tif 000016
【図１５】
2019124627.tif 000017
【図１６】
2019124627.tif 000018
【図１７】
2019124627.tif 000019